(57)【特許請求の範囲】
【請求項１】
メモリ挿入口と、
第１の位置と第２の位置とに回動可能なビューファンダとを有し、
前記ビューファンダが前記第１の位置にある際に、前記メモリ挿入口が露出され、前記ビューファンダが前記第２の位置にある際に、前記メモリ挿入口が前記ビューファンダの一部によって覆われるように構成され、かつ前記メモリ挿入口は、前記露出された際に前記ビューファンダの覗き部を覗く方向に位置するように設けられていることを特徴とするビデオカメラ。
【請求項２】
挿入口のビューファインダ側の壁に切りこみを設けたことを特徴とする請求項１記載のビデオカメラ。
【請求項３】
メモリ収納壁に視認窓を設けたことを特徴とする請求項１または２記載のビデオカメラ。
【請求項４】
メモリ視認窓がビューファインダの移動により視認可能となることを特徴とする請求項１または２記載のビデオカメラ。
【請求項５】
メモリの接続用端子部がビューファインダ収納壁からオフセットして配置され、端子の一端が壁からファインダの方向に張り出して構成されたことを特徴とする請求項１乃至４のうち１記載のビデオカメラ。
【発明の詳細な説明】
【０００１】
【発明の属する技術分野】
本発明はテープ、ディスク等の主記録媒体の他に半導体等の小型の副記録媒体（メモリ）を着脱可能で、ローアングル撮影に対応してビューファインダが移動可能に構成されたビデオカメラの、メモリ装着部構造に関するものである。
【０００２】
【従来の技術】
従来、この種のメモリは、図１３、１４に示すようにメモリ２０を本体側面中央に装着し、２１ａのごとく可動の専用カバー２１で覆っていた。また、近年ローアングル撮影用の可動のビューファインダ横にヒンジ目隠しの数ｍｍ厚の壁部が設けられるようになってきたが、ここは利用されておらずデッドスペースとなっている。
【０００３】
【発明が解決しようとする課題】
ところが近年装置の小型化が進み、本体側面中央にスペース自体が無くなっててきた。また、スペースがあっても、そこにはキー等が優先的に配置され、メモリの設置場所に苦慮している。更に、着脱メモリを設置すると挿入口のカバーが別途必要となり、コストアップになるという問題があった。
【０００４】
本発明は、設置場所として従来使われていないローアングル撮影用の可動ビューファインダの隣接部分を利用して、合理的にメモリを配置し小型化・操作性の向上およびコストダウンと共に視認性の向上を可能とするビデオカメラを提供することである。
【０００５】
【課題を解決するための手段】
上記の目的を解決するために本願の請求項1記載の発明は、メモリ挿入口と、第１の位置と第２の位置とに回動可能なビューファンダとを有し、前記ビューファンダが前記第１の位置にある際に、前記メモリ挿入口が露出され、前記ビューファンダが前記第２の位置にある際に、前記メモリ挿入口が前記ビューファンダの一部によって覆われるように構成され、かつ前記メモリ挿入口は、前記露出された際に前記ビューファンダの覗き部を覗く方向に位置するように設けられていることを特徴とするビデオカメラにある。
【０００６】
そして、請求項２記載の発明は挿入口のビューファインダ側の壁に切りこみを設けたことを特徴とするものである。
この構成により、メモリの装着が確実かつ良好になる。
【０００７】
さらに、請求項３記載の発明はメモリ収納壁に視認窓を設けたものである。
【０００８】
また、請求項４記載の発明はメモリ視認窓がビューファインダの移動により視認可能とするものである。
これらの構成により、メモリの有無の確認が容易にできる。
【０００９】
さらにまた、請求項５記載の発明はメモリの接続用端子部がビューファインダ収納壁からオフセットして配置され、端子の一端が壁からファインダの方向に張り出して構成されたものである。
この構成により、メモリの電極の電気的接続が良好に行える。
【００１０】
【発明の実施の形態】
図１〜５に本発明の第１の実施の形態を示す。図１はビデオカメラ全体図で、１はメモリの装着時とは裏返しの状態のメモリの図で、内部の素子に繋がる電極１ａ部が片面に露出しており、１ｂ部が取り出し用の窪み、１ｃ部が面取り形状である。また、側面には記録内容を示すタイトルシール１ｄ・（１ｅ）が貼付されている。２はビデオカメラ本体で、３はレンズ、４は開閉可能な液晶パネル、５はビューファインダで、矢印５ａのごとく不図示公知の構造でレンズ側の1部５ｅを中心に略９０度回動可能であり公知のフリクション機構で任意角度で保持可能である。６は視認窓である。
【００１１】
図２は図１の要部のファインダ回動跳ね上げ時の斜視図で、２ａはメモリ挿入口、２ｂは内側の壁部で外側の壁部外形形状に対し凹の切り込みが設けられている。７はメモリ取り出しレバー、５ｂはビューファインダ５の覗き部で、その側部５ｃはメモリ挿入口２ａの外壁部に沿った形状で突出している。
【００１２】
図３は要部のファインダ収納携帯時の斜視図で、ファインダ突出部５ｃは挿入口２ａを覆っている。
【００１３】
図４は要部の構造図で、２ｃは本体のファインダ周辺を囲むファインダ壁部でメモリ１の幅より少し大の高さのリブ２ｄ・２ｅ・２ｆ・２ｇ・２ｈが構成されている。リブ２ｄと２ｅの間隔はメモリ１の高さより少し大である。７ｂは弾性樹脂で成形された取り出しレバー７の操作部で、カバー２ｉの２ｊ部から外に突出すると共に、その鍔部７ａはリブ２ｆ・２ｇ間で所定量スライド可能に挟持されている。７ｃは取り出しレバー７の一面が傾斜したフック部で、鍔部７ａがリブ２ｇ・２ｈと当接した状態で、７ｃ先端とリブ２ｄの距離はメモリ１の高さより小である。また、取り出しレバー７は鍔部７ａで撓んで、フック部７先端とリブ２ｄの間隔がメモリ１の高さより大きく変形が可能である。８は樹脂成形された端子ユニットで、リブ２ｄ・２ｅと連続する壁部８ｂとメモリ先端と当接可能な壁部８ｃ、ファインダ壁部に連続する壁部８ｄより成り、ファインダ壁部２ｃにビス固定され、８ｄにメモリ１が当接した状態の電極１ａに対応した位置に端子９が複数個インサート成形されている。カバー２ｉは，リブ２ｄ〜２ｇに平面で当接し略メモリ１相当の空間を形成する。また、メモリ１が端子ユニット８の８ｃ部に当接した状態のタイトルシール１ｅに対応した位置に透明の視認窓６が構成されている。
【００１４】
図５は図４のＡ−Ａ断面で、ファインダ壁部の穴をファインダ内から伸延した配線５ｄが貫通している。また、電極９の他の一端９ａは壁部８ｄの裏へ突出しているが、そこにはビューファインダの壁部２ｃは無いので干渉しない。９ａからは更に配線９ｂが伸延して不図示の基板に接続している。５ｅはビューファインダ５の回動中心線である。
【００１５】
以上の構成において、図３の状態からファインダ５を５ｅを中心に跳ね上げ、ローアングル撮影状態にすると、図２のごとくメモリ挿入口が露出する。この状態でメモリ１の着脱が可能で、図６の右方向からメモリ１を挿入すると、図７のごとくメモリの先端１ｃ部が取り出しレバー７のフック部７ｃを上方へ付勢し、鍔部７ａを撓ませて挿入していく。更に挿入してメモリ１の先端が端子ユニット８の８ｃ部と当接直前に、取り出しレバー７のフック部７ｃはメモリの窪み１ｂに落ち込む。この間、挿入口側部には切欠き２ｂが設けられているので、指が壁部に規制されずにメモリの挿入が容易である。メモリ１の先端が８ｃ部と当接した位置では端子９とメモリの電極１ｃは接触して導通している。
【００１６】
この状態でビューファインダ５を図３のごとく下降させ携帯状態にすると、メモリの挿入口はファインダ５の突出部５ｃでカバーされ異物の進入を妨げる（ファインダを跳ね上げるのは一時的な状態なので蓋は問題とならない）。また、挿入口２ａの切欠き２ｂ部もカバーされかつ外観に隙間無く、デザイン上の不都合も無い。更に側面の視認窓６より、装着状態でメモリ１の有無及びタイトルシールの確認も容易である。この位置だと、右目でファインダを覗いている記録状態で、左目で視認窓６より装着されたタイトルを見る事も出来る。
【００１７】
次に、取り出し時には図２のごとく再びビューファインダ５を跳ね上げ、図９のごとく取り出しレバーの操作部７ｂを挿入口方向に移動させると、フック部７ｃがメモリ１の窪み１ｂと係合してメモリ１を挿入口より一定長押し出す。ここから図１０のごとくメモリ１の端部を引いて取り出せばよい。その後、図３のごとくビューファインダ５を降下させ携帯状態にすれば５ｃ部が挿入口をカバーし、やはり異物の進入を妨げる。また、この携帯状態で視認窓６よりメモリ１の有無も確認可能である。
【００１８】
図１１〜１２に他の実施の形態を示す。１２は本体、１２ａはメモリ挿入口でビューファインダ側の壁には１２ｂの切り込みがある。１５は本体に対し１５ａ方向に回動可能なビューファインダ、１５ｂは覗き部、１５ｃは下方に伸びた突出部である。１６はメモリ１１のタイトルシール１１ａに対応した視認窓である。１７は取り出しレバーである。
【００１９】
以上の構成において、図１１のファインダを跳ね上げた（ローアングル撮影）状態で第１の実施の形態と同様にメモリ１１は着脱可能で、かつ視認窓１６より装着したままのタイトルシールの確認も可能である。
【００２０】
次に、図１２の携帯（通常撮影）状態ではビューファインダ１５の１５ｃ部がメモリ挿入口をカバーし、異物の進入を妨げる。
【００２１】
【発明の効果】
以上説明したように、本発明によればメモリ着脱式のビデオカメラにおいて、専用の蓋を省略しコストダウンしつつ良好な装着操作性と、メモリの有無の視認性を達成可能である。また、第１の実施の形態は従来使用されていないスペースなので小型化にもなる。
【図面の簡単な説明】
【図１】本発明の第１の実施の形態を示すビデオカメラの全体図である。
【図２】本発明の第１の実施の形態のメモリ脱着時（ローアングル撮影時）のビューファインダ周辺の図である。
【図３】本発明の第１の実施の形態の携帯時（通常撮影時）のビューファインダ周辺の図である。
【図４】本発明の第１の実施の形態のビューファインダ周辺の構造図である。
【図５】本発明の第１の実施の形態のビューファインダ周辺の断面図である。
【図６】本発明の第１の実施の形態のメモリ挿入直前の図である。
【図７】本発明の第１の実施の形態のメモリ挿入中の図である。
【図８】本発明の第１の実施の形態のメモリ挿入後の図である。
【図９】本発明の第１の実施の形態のメモリ排出開始時の図である。
【図１０】本発明の第１の実施の形態のメモリ排出中の図である。
【図１１】本発明の第２の実施の形態のメモリ脱着時（ローアングル撮影時）のビューファインダ周辺の図である。
【図１２】本発明の第１の実施の形態の携帯時（通常撮影時）のビューファインダ周辺の図である。
【図１３】従来例のビデオカメラのおけるメモリ装着状態の平面図である。
【図１４】従来例のビデオカメラのおけるメモリ装着状態の側面図である。
【符号の説明】
１  メモリ
２  ビデオカメラ本体
２ａ  メモリ挿入口
２ｂ  切り込み
３  レンズ
４  液晶パネルユニット
５  ビューファインダ
６  視認窓
７  取り出しレバー
８  端子ユニット
１１  メモリ
１２  ビデオカメラ本体
１５  ビューファインダ
１６  視認窓
１７  取り出しレバー
【図１】
0003897485.tif 000002
【図２】
0003897485.tif 000003
【図３】
0003897485.tif 000004
【図４】
0003897485.tif 000005
【図５】
0003897485.tif 000006
【図６】
0003897485.tif 000007
【図７】
0003897485.tif 000008
【図８】
0003897485.tif 000009
【図９】
0003897485.tif 000010
【図１０】
0003897485.tif 000011
【図１１】
0003897485.tif 000012
【図１２】
0003897485.tif 000013
【図１３】
0003897485.tif 000014
【図１４】
0003897485.tif 000015